(57)【要約】      （修正有）【課題】防草機能と舗装材の充填性に優れた防草機能付ブロックを提供する。【解決手段】この防草機能付ブロック８０は舗装側面５２の上部にブロック本体５０側に凹んだ凹条の防草部３０を有している。そして、この防草部３０は下面に垂直方向の凹みを有さない。よって舗装材の収縮時の応力は特定の部位に集中せず破断も生じることが無い。これにより、舗装材の収縮防止機能及び防草機能を長期間維持することができる。また、この防草機能付ブロック８０は舗装材１の防草部３０内への充填性が良好であるとともに、優れた防草性を有する。【選択図】図１
2018080443.tif 000002
【特許請求の範囲】
【請求項１】
ブロック本体の舗装側面の上部に内側に凹んだ防草部を備えることを特徴とする防草機能付ブロック。
【請求項２】
防草部の上端が下端よりも内側に位置することを特徴とする請求項１に記載の防草機能付ブロック。
【請求項３】
防草部の奥面が、所定の曲率半径のアールを有することを特徴とする請求項１または請求項２に記載の防草機能付ブロック。
【請求項４】
防草部が、奥側から斜め上方に傾斜した上面と、奥側から斜め下方に傾斜した下面とを有することを特徴とする請求項１乃至請求項３のいずれかに記載の防草機能付ブロック。
【請求項５】
上面の水平面からの角度を角度θ１とし、下面の水平面からの角度を角度θ２としたときに、下面の角度θ２が上面の角度θ１以上であることを特徴とする請求項４記載の防草機能付ブロック。
【請求項６】
防草部が、奥側から斜め上方に傾斜し上面の奥側に位置する第２の上面を有し、前記第２の上面の水平面からの角度を角度θ３としたときに、第２の上面の角度θ３が上面の角度θ１以上であることを特徴とする請求項５記載の防草機能付ブロック。
【請求項７】
防草部が、奥側から斜め下方に傾斜し下面の奥側に位置する第２の下面を有し、前記第２の下面の水平面からの角度を角度θ４としたときに、第２の下面の角度θ４が下面の角度θ２以上であることを特徴とする請求項６に記載の防草機能付ブロック。
【請求項８】
防草部の深さＤが１５ｍｍ〜３０ｍｍであり、下面の角度θ２が２０°〜７０°であり、上面の角度θ１が１０°〜３０°であることを特徴とする請求項５乃至請求項７のいずれかに記載の防草機能付ブロック。
【請求項９】
防草部が略三角形の凹条であるとともに、
防草部の深さＤが１５ｍｍ〜３０ｍｍであり、下面の角度θ２が３０°〜７０°であり、上面の角度θ１が１０°〜３０°であり、奥面のアールの曲率半径Ｒが３ｍｍ〜１５ｍｍであることを特徴とする請求項５記載の防草機能付ブロック。
【請求項１０】
防草部の上端が下端よりも内側に位置し、その差Ｌ１が３ｍｍ〜１５ｍｍであることを特徴とする請求項４乃至請求項９のいずれかに記載の防草機能付ブロック。
【発明の詳細な説明】
【技術分野】
【０００１】
本発明は、舗装路の境界や側溝、中央分離帯等に用い、舗装材との境に防草機能を備えた防草機能付ブロックに関するものである。
【背景技術】
【０００２】
従来、コンクリートやアスファルトで舗装された舗装路において、歩道と車道の境界や中央分離帯、舗装路脇の側溝等にはコンクリート製の境界ブロックもしくは側溝ブロックが敷設される。そして、コンクリートやアスファルト等の舗装材は、これらブロック本体の舗装路側の側面に接するように打設される。しかしながら、舗装材は寒暖差や車両運行時の振動等により収縮、膨張を繰り返し、年を経るごとにブロック本体の側面と舗装材との間には徐々に隙間が形成される。そして、この状態を放置するとこの隙間に土が溜まって雑草が生育し、舗装路の美観や安全性を損なうという問題点がある。この問題点に関し、本願発明者らは下記［特許文献１］に記載の防草機能付ブロックに関する発明を行った。
【先行技術文献】
【特許文献】
【０００３】
【特許文献１】特許第５９６３９３１号公報
【発明の概要】
【発明が解決しようとする課題】
【０００４】
しかしながら、これら防草機能付ブロックの防草機能と舗装材の防草部内への充填性に関しては未だ改良の余地があり、更なる改善が望まれる。本発明は上記事情に鑑みてなされたものであり、防草機能と舗装材の充填性に優れた防草機能付ブロックを提供することを目的とする。
【課題を解決するための手段】
【０００５】
本発明は、
（１）ブロック本体５０の舗装側面５２の上部に内側に凹んだ防草部３０を備えることを特徴とする防草機能付ブロック８０を提供することにより、上記課題を解決する。
（２）防草部３０の上端が下端よりも内側に位置することを特徴とする上記（１）に記載の防草機能付ブロック８０を提供することにより、上記課題を解決する。
（３）防草部３０の奥面３６が、所定の曲率半径のアールを有することを特徴とする上記（１）または（２）に記載の防草機能付ブロック８０を提供することにより、上記課題を解決する。
（４）防草部３０が、奥側から斜め上方に傾斜した上面３２ａと、奥側から斜め下方に傾斜した下面３２ｂとを有することを特徴とする上記（１）乃至（３）のいずれかに記載の防草機能付ブロック８０を提供することにより、上記課題を解決する。
（５）上面３２ａの水平面からの角度を角度θ１とし、下面３２ｂの水平面からの角度を角度θ２としたときに、下面３２ｂの角度θ２が上面３２ａの角度θ１以上であることを特徴とする上記（４）記載の防草機能付ブロック８０を提供することにより、上記課題を解決する。
（６）防草部３０が、奥側から斜め上方に傾斜し上面３２ａの奥側に位置する第２の上面３４ａを有し、前記第２の上面３４ａの水平面からの角度を角度θ３としたときに、第２の上面３４ａの角度θ３が上面３２ａの角度θ１以上であることを特徴とする上記（５）記載の防草機能付ブロック８０を提供することにより、上記課題を解決する。
（７）防草部３０が、奥側から斜め下方に傾斜し下面３２ｂの奥側に位置する第２の下面３４ｂを有し、前記第２の下面３４ｂの水平面からの角度を角度θ４としたときに、第２の下面３４ｂの角度θ４が下面３２ｂの角度θ２以上であることを特徴とする上記（６）に記載の防草機能付ブロック８０を提供することにより、上記課題を解決する。
（８）防草部３０の深さＤが１５ｍｍ〜３０ｍｍであり、下面３２ｂの角度θ２が２０°〜７０°であり、上面３２ａの角度θ１が１０°〜３０°であることを特徴とする上記（５）乃至（７）のいずれかに記載の防草機能付ブロック８０を提供することにより、上記課題を解決する。
（９）防草部３０が略三角形の凹条であるとともに、防草部３０の深さＤが１５ｍｍ〜３０ｍｍであり、下面３２ｂの角度θ２が３０°〜７０°であり、上面３２ａの角度θ１が１０°〜３０°であることを特徴とする上記（５）記載の防草機能付ブロック８０を提供することにより、上記課題を解決する。
（１０）防草部３０の上端が下端よりも内側に位置し、その差Ｌ１が３ｍｍ〜１５ｍｍであることを特徴とする上記（４）乃至（９）のいずれかに記載の防草機能付ブロック８０を提供することにより、上記課題を解決する。
【発明の効果】
【０００６】
本発明に係る防草機能付ブロックは、優れた防草機能と舗装材の充填性とを有する。
【図面の簡単な説明】
【０００７】
【図１】本発明に係る防草機能付ブロックの使用状態を示す斜視図である。
【図２】本発明に係る防草機能付ブロックの適用例を示す図である。
【図３】本発明に係る防草機能付ブロックの適用例を示す図である。
【図４】本発明に係る防草機能付ブロックの適用例を示す図である。
【図５】本発明に係る防草機能付ブロックの防草部の例を示す図である。
【図６】本発明に係る防草機能付ブロックの防草部の例を示す図である。
【図７】本発明に係る防草機能付ブロックの防草部の例を示す図である。
【図８】本発明に係る防草機能付ブロックの好適な防草部の例を示す図である。
【図９】本発明に係る防草機能付ブロックの好適な防草部の例を示す図である。
【図１０】本発明に係る防草機能付ブロックの好適な防草部の例を示す図である。
【図１１】本発明に係る防草機能付ブロックの好適な防草部の例を示す図である。
【図１２】本発明に係る防草機能付ブロックの好適な防草部の例を示す図である。
【図１３】本発明に係る防草機能付ブロックの好適な防草部の例を示す図である。
【発明を実施するための形態】
【０００８】
本発明に係る防草機能付ブロック８０の実施の形態について図面に基づいて説明する。先ず、図１は本発明に係る防草機能付ブロック８０を並木枡用ブロックに適用した例を示したものである。並木枡用ブロックに適用した本発明に係る防草機能付ブロック８０は、ブロック本体５０と、このブロック本体５０と舗装材１とが接する舗装側面５２と、この舗装側面５２の上部に形成され内側（ブロック本体５０側）に凹んだ凹条の防草部３０と、を有している。尚、図１では一方の側面（舗装側面５２）に防草部３０を形成した例を示しているが、ブロック本体５０の両側面に舗装材１が接する場合には防草部３０は一方の側面のみならず、両側の側面（舗装側面５２）に形成しても良い。また、防草部３０は基本的に舗装材１の上面位置より若干（後述のＬ２寸法）下に形成する。よって、防草部３０の形成位置は舗装材１の上面位置に準じ、適用する防草機能付ブロック８０によって変化する。これらのことは、後述の各ブロックに適用した例においても同様である。
【０００９】
次に、本発明に係る防草機能付ブロック８０の他の適用例を図２、図３、図４に示す。尚、本発明に係る防草機能付ブロック８０は以下の図２、図３、図４の適用例で示した形状、用途のブロックのみならず、少なくとも一方の側面に舗装が施される全てのブロックに適用が可能である。また、図２、図３では防草部３０として後述の図８（ｂ）に示したものを適用して図示している。また、図４（ａ）〜（ｄ）では防草部３０として奥面にアールの無い後述の図６（ｂ）に示したものを適用して図示している。また、図４（ｅ）では防草部３０として後述の図１１（ｃ）に示したものを適用して図示している。
【００１０】
ここで、図２（ａ）は、防草機能付ブロック８０を地先境界ブロックに適用した例であり、図２（ｂ）は縁石部３を有する両面型の歩車道境界ブロックに適用した例である。尚、図２（ｂ）に示す防草機能付ブロック８０では縁石部３が露出するようにブロック本体５０の下部が舗装材１で埋設される。この場合、舗装側面５２は舗装材１で埋設されるブロック本体５０の側面下部となり、この舗装側面５２の上部に防草部３０が形成される。また、図２（ｃ）は歩車道で段差を有する歩車道境界ブロック（片面型）に適用した例であり、図２（ｄ）は乗入型の歩車道境界ブロックに適用した例である。尚、図２（ａ）、（ｃ）、（ｄ）に示す防草機能付ブロック８０は、基本的にブロック本体５０の上面と面一となるように舗装材１を敷設する。よって、ブロック本体５０の一側面が舗装側面５２となり、防草部３０はこの舗装側面５２の上部、即ちブロック本体５０の側面上部に設けられる。また、図２（ａ）〜図２（ｄ）に示す防草機能付ブロック８０では、防草部３０を片方の側面（舗装側面５２）に設けている。
【００１１】
また、図２（ｅ）は防草機能付ブロック８０を縁石付歩車道境界ブロックに適用した例を示すものである。この縁石付歩車道境界ブロックに適用した防草機能付ブロック８０は、ブロック本体５０の上部に縁石部３を有している。尚、図２（ｅ）ではブロック本体５０の両側の舗装側面５２に防草部３０を設けている。
【００１２】
また、図３（ａ）は防草機能付ブロック８０をＢＯＸ型の側溝ブロックに適用した例を示すものである。この側溝ブロックに適用した防草機能付ブロック８０は、ブロック本体５０の内部に雨水等を流下させる側溝部１２を有するとともに、ブロック本体５０の上部に側溝部１２と連通する排水口１４を備えている。尚、図３（ａ）ではブロック本体５０の片側の舗装側面５２に防草部３０を設けた例を示している。
【００１３】
また、図３（ｂ）は防草機能付ブロック８０をＵ字の側溝ブロックに適用した例を示すものである。このＵ字の側溝ブロックに適用した防草機能付ブロック８０は、ブロック本体５０の上部が開口した側溝部１２を有している。そして、ブロック本体５０の上部に排水口１４を備えた蓋部１９を載置して側溝部１２の上部を閉塞し使用する。尚、図３（ｂ）ではブロック本体５０の片側の舗装側面５２に防草部３０を設けた例を示している。
【００１４】
また、図３（ｃ）は防草機能付ブロック８０を自由勾配型の側溝ブロックに適用した例を示すものである。この自由勾配型の側溝ブロックに適用した防草機能付ブロック８０は、底部に所定の勾配のコンクリート部１８を打設することで内部に側溝部１２を形成する。そして、ブロック本体５０の上面に形成された排水口１４はこの側溝部１２と連通する。また、図３（ｃ）では防草部３０をブロック本体５０の片側の舗装側面５２に設けた例を示している。
【００１５】
また、図３（ｄ）は防草機能付ブロック８０を上下分離型の縁石付側溝ブロックの上部ブロックに適用した例を示すものである。この側溝ブロックに適用した防草機能付ブロック８０は、縁石部３を備えるとともにＵ字形状の下部側溝ブロック１６と組み合わせることで内部に側溝部１２を形成する。そして、ブロック本体５０の上面に形成された排水口１４はこの側溝部１２と連通する。尚、図３（ｄ）ではブロック本体５０の両側の舗装側面５２に防草部３０を設けた例を示している。
【００１６】
また、図３（ｅ）は防草機能付ブロック８０をＬ字擁壁ブロックに適用した例を示すものである。このＬ字擁壁ブロックに適用した防草機能付ブロック８０は、側面に水抜き穴を有するとともに、Ｌ字の内側の舗装側面５２の上部に防草部３０を備える。そして、Ｌ字の内側に土砂及び舗装を敷設して道路脇の擁壁を構成する。
【００１７】
また、図４（ａ）〜（ｃ）は防草機能付ブロック８０をＵ字の側溝ブロックに適用した例を示すものである。このＵ字の側溝ブロックに適用した防草機能付ブロック８０は、図３（ｂ）と同様にブロック本体５０の上部が開口した側溝部１２を有している。そして、ブロック本体５０の上部に排水口１４を備えた蓋部１９（図示せず）やグレーチング等を載置して使用する。尚、図４（ａ）〜（ｃ）ではブロック本体５０の片側の舗装側面５２に防草部３０を設けた例を示している。
【００１８】
また、図４（ｄ）は、防草機能付ブロック８０を縁石を備えない上下分離型の側溝ブロックの上部ブロックに適用した例を示すものである。この側溝ブロックに適用した防草機能付ブロック８０は、図３（ｄ）と同様にＵ字形状の下部側溝ブロック１６と組み合わせることで内部に側溝部１２を形成する。そして、ブロック本体５０の上面に形成された排水口１４はこの側溝部１２と連通する。尚、図４（ｄ）ではブロック本体５０の片側の舗装側面５２に防草部３０を設けた例を示している。
【００１９】
また、図４（ｅ）は、防草機能付ブロック８０を集水桝に適用した例を示すものである。この集水桝に適用した防草機能付ブロック８０は、内部に枡部１３を有するとともに上部に蓋やグレーチングが嵌る段部１５を有している。尚、図４（ｅ）ではブロック本体５０の４方全ての舗装側面５２に防草部３０を設けた例を示している。
【００２０】
次に、本発明に係る防草機能付ブロック８０の防草部３０の例を示す。ここで、図５〜図１３は防草部３０の拡大図である。先ず、本発明に係る防草機能付ブロック８０の防草部３０は、ブロック本体５０の舗装側面５２の上部に、この舗装側面５２から内側（ブロック本体５０側）に凹み、長辺方向に沿った凹条で形成される。そして、この防草部３０の凹条の断面は、図５（ａ）、図６（ａ）に示すように略四角形（長方形、正方形）でも良いし、図５（ｂ）、図６（ｂ）に示すように略台形としても良い。また、図５（ｃ）、（ｄ）、図６（ｃ）、図８、図９に示すように略三角形としても良いし、図１０〜図１２に示すように略五角形としても良い。さらに、図１３に示すように略六角形としても良いし、７以上の多角形で構成しても良い。尚、図５（ｄ）、図１０、図１２、図１３では、防草部３０を縁石部３を有する両面型の歩車道境界ブロックに適用した例を示している。
【００２１】
これらの防草部３０の舗装側面５２から奥面３６（もしくは奥端）までの深さＤに関しては特に限定は無いが１０ｍｍ〜５０ｍｍ程度が好ましく、１５ｍｍ〜３０ｍｍが特に好ましい。また、防草部３０の幅Ｗにも特に限定は無いが２０ｍｍ〜６０ｍｍ程度が好ましく、２５ｍｍ〜５０ｍｍが特に好ましい。また、舗装側面５２の上端、即ち舗装材１の上面（舗装面）から防草部３０の上端までの距離Ｌ２に関しても特に限定は無いが５ｍｍ〜３０ｍｍが好ましく、１０ｍｍ〜２０ｍｍが特に好ましい。尚、舗装側面５２の上端には面取り部５４を形成しても良いし、形成せずに垂直面としても良い。さらに、防草部３０を構成する各面の接続辺は図５（ｄ）、図１０〜図１３に示すように直線的に接続しても良いし、所定の曲率半径のアール（Ｒ）を施しても良い。尚、図５（ａ）〜（ｃ）、図６、図８、図９では、防草部３０を構成する奥面３６と上面３２ａとの接続辺と、奥面３６と下面３２ｂとの接続辺にアールを施した例を図示している。このアールの曲率半径に関しても特に限定は無いが、３ｍｍ〜１５ｍｍが好ましい。尚、図５（ｃ）、図６（ｃ）、図８、図９に示す略三角形状の防草部３０では上面３２ａと下面３２ｂとの接続辺（奥端）に施されたアール部分が奥面３６を形成する。
【００２２】
また、防草部３０の断面が略四角形（長方形、正方形）以外の場合、図５〜図１３に示すように、防草部３０の上面３２ａを奥側から斜め上方に傾斜した斜面とし、下面３２ｂを奥側から斜め下方に傾斜した斜面とする。この上面３２ａの水平面からの角度θ１、下面３２ｂの水平面からの角度θ２に関しては特に限定は無いが、舗装材１の充填性の観点から角度θ２が角度θ１以上であることが好ましい。特に、下面３２ｂの角度θ２を２０°〜７０°、好適には２０°〜６０°とし、上面３２ａの角度θ１を５°〜３０°、好適には１０°〜３０°とすることが好ましい。
【００２３】
また、防草部３０の断面が略三角形状の場合、上面３２ａの幅（高さ）と下面３２ｂの幅（高さ）との比率を、後述の図８、図９に例示するように、（上面３２ａの幅）：（下面３２ｂの幅）が１：３〜１：５程度とすることが好ましい。また、奥端にアールを施し、このアールの曲率半径Ｒを３ｍｍ〜１５ｍｍ、特に５ｍｍ〜１０ｍｍとすることが好ましい。
【００２４】
また、防草部３０は、図１０〜図１３に示すように、上面３２ａの奥側に位置するとともに奥側から斜め上方に傾斜した第２の上面３４ａを有していても良い。そして、第２の上面３４ａの水平面からの角度を角度θ３としたときに、第２の上面３４ａの角度θ３を上面３２ａの角度θ１以上とすることが舗装材１の充填性の観点から好ましい。尚、図１０では、奥面３６を有する略五角形状の防草部３０の例を図示しているが、奥面３６を備えない変形四角形状としても良い。
【００２５】
さらに、防草部３０は、図１１〜図１３に示すように、下面３２ｂの奥側に位置するとともに奥側から斜め下方に傾斜した第２の下面３４ｂを有していても良い。そして、第２の下面３４ｂの水平面からの角度を角度θ４としたときに、第２の下面３４ｂの角度θ４を下面３２ｂの角度θ２以上とすることが舗装材１の充填性の観点から好ましい。また、この構成では第２の下面３４ｂの角度θ４を第２の上面３４ａの角度θ３以上とすることがさらに好ましい。尚、図１１、図１２では奥面３６を備えない断面が略五角形状の防草部３０の例を示している。また、図１２（ｂ）では、略五角形の防草部の下面３２ｂのさらに外側に水平面３５を設けた例を示している。また、図１３では奥面３６を備えた断面が略六角形状の防草部３０の例を示している。
【００２６】
また、防草部３０は防草部３０の上端が下端よりも内側（ブロック本体５０側）に位置するようにしても良い。この上端と下端との差（距離Ｌ１）の値に特に限定は無いが５ｍｍ〜３０ｍｍが好ましく、５ｍｍ〜１０ｍｍが特に好ましい。そして、この構成によれば、防草部３０内への舗装材１の充填性が向上することに加え、舗装路の幅を距離Ｌ１分だけ拡げることができる。
【００２７】
尚、距離Ｌ１は図７に示すように、防草部３０の深さＤと同等としても良い。この構成では防草部３０の上面３２ａは実質的に消滅し、防草部３０は舗装側面５２の上部コーナーの切欠きとなる。尚、この構成は例えば図２（ｂ）、図５（ｄ）等の防草部３０がブロック本体５０の上部に位置しない形状では適用することができない。
【００２８】
次に、本発明に好適な防草部３０の例を図８〜図１３に示す。尚、図８〜図１３中の数字は各部の寸法を示し、単位はｍｍである。
【００２９】
そして、図８、図９に示す本発明に好適な防草部３０は断面略三角形状を呈している。そして、防草部３０の幅Ｗは３３ｍｍであり、舗装面からの距離Ｌ２は１７ｍｍである。また、図８に示す防草部３０では奥面３６となるアール（Ｒ）の曲率半径を１０ｍｍとしている。また、図８（ａ）、（ｂ）では上端と下端との距離Ｌ１が５ｍｍであり、図８（ｃ）、（ｄ）では距離Ｌ１が０ｍｍで上端と下端とは面一となっている。また、図８（ａ）、（ｃ）では防草部３０の深さＤが１５ｍｍであり、図８（ｂ）、（ｄ）では防草部３０の深さＤが２０ｍｍである。さらに、図８では上面３２ａの幅と下面３２ｂの幅の比率が約１：３〜１：４をとる。そして、図８（ａ）の上面３２ａの角度θ１は２７°であり、下面３２ｂの角度θ２は５０°である。また、図８（ｂ）の上面３２ａの角度θ１は１８°であり、下面３２ｂの角度θ２は４２°である。また、図８（ｃ）の上面３２ａの角度θ１は２０°であり、下面３２ｂの角度θ２は５０°である。また、図８（ｄ）の上面３２ａの角度θ１は１４°であり、下面３２ｂの角度θ２は４２°である。
【００３０】
また、図９に示す防草部３０では奥面３６となるアール（Ｒ）の曲率半径を５ｍｍとしている。そして、図９（ａ）、（ｂ）では上端と下端との距離Ｌ１が５ｍｍであり、図９（ｃ）、（ｄ）では距離Ｌ１は０ｍｍで上端と下端とは面一となっている。また、図９（ａ）、（ｃ）では防草部３０の深さＤが１５ｍｍであり、図９（ｂ）、（ｄ）では防草部３０の深さＤが２０ｍｍである。また、図９では上面３２ａの幅と下面３２ｂの幅との比率が約１：４〜１：５をとる。そして、図９（ａ）の上面３２ａの角度θ１は２７°であり、下面３２ｂの角度θ２は５７°である。また、図９（ｂ）の上面３２ａの角度θ１は１８°であり、下面３２ｂの角度θ２は４９°である。また、図９（ｃ）の上面３２ａの角度θ１は２０°であり、下面３２ｂの角度θ２は５７°である。また、図９（ｄ）の上面３２ａの角度θ１は１４°であり、下面３２ｂの角度θ２は４９°である。
【００３１】
また、図１０〜図１２に示す防草部３０は断面略五角形状を呈している。そして、図１０に示す防草部３０の深さＤは２５ｍｍであり、上端と下端との距離Ｌ１は１０ｍｍである。また、図１０（ａ）に示す防草部３０の幅Ｗは４０ｍｍであり、図１０（ｂ）に示す防草部３０の幅Ｗは５０ｍｍである。そして、図１０（ａ）の上面３２ａの角度θ１は１８°であり、第２の上面３４ａの角度θ３は４５°であり、下面３２ｂの角度θ２は３９°である。また、図１０（ｂ）の上面３２ａの角度θ１は１８°であり、第２の上面３４ａの角度θ３は４５°であり、下面３２ｂの角度θ２は５０°である。
【００３２】
また、図１１に示す防草部３０の幅Ｗは３３ｍｍであり、舗装面からの距離Ｌ２は１７ｍｍである。また、図１１（ａ）、（ｂ）では上端と下端との距離Ｌ１が５ｍｍであり、図１１（ｃ）、（ｄ）では距離Ｌ１が０ｍｍで上端と下端とは面一となっている。また、図１１（ａ）、（ｃ）では防草部３０の深さＤが１５ｍｍであり、図１１（ｂ）、（ｄ）では防草部３０の深さＤが２０ｍｍである。さらに、図１１では上斜面（上面３２ａ＋第２の上面３４ａ）と下斜面（下面３２ｂ＋第２の下面３４ｂ）の幅の比率が約１：２をとる。また、上面３２ａの幅と第２の上面３４ａの幅の比率は約１：２〜１：４をとる。また、第２の下面３４ｂの幅と下面３２ｂの幅の比率は約１：１．５〜１：２をとる。そして、図１１（ａ）の上面３２ａの角度θ１は２２°であり、第２の上面３４ａの角度θ３は５８°であり、第２の下面３４ｂの角度θ４は７２°であり、下面３２ｂの角度θ２は４９°である。また、図１１（ｂ）の上面３２ａの角度θ１は１９°であり、第２の上面３４ａの角度θ３は４９°であり、第２の下面３４ｂの角度θ４は６４°であり、下面３２ｂの角度θ２は４３°である。また、図１１（ｃ）の上面３２ａの角度θ１は２１°であり、第２の上面３４ａの角度θ３は４５°であり、第２の下面３４ｂの角度θ４は７２°であり、下面３２ｂの角度θ２は４９°である。また、図１１（ｄ）の上面３２ａの角度θ１は１４°であり、第２の上面３４ａの角度θ３は４１°であり、第２の下面３４ｂの角度θ４は６６°であり、下面３２ｂの角度θ２は４１°である。
【００３３】
また、図１２に示す防草部３０の幅Ｗは３０ｍｍであり、深さＤは図１２（ｂ）の水平面３５も含めて２５ｍｍであり、上端と下端との距離Ｌ１は図１２（ｂ）の水平面３５も含めて１０ｍｍである。そして、図１２（ａ）の上面３２ａの角度θ１は１８°であり、第２の上面３４ａの角度θ３は４５°であり、第２の下面３４ｂの角度θ４は５９°であり、下面３２ｂの角度θ２は２３°である。また、図１２（ｂ）の上面３２ａの角度θ１は１８°であり、第２の上面３４ａの角度θ３は４５°であり、第２の下面３４ｂの角度θ４は５９°であり、下面３２ｂの角度θ２は３６°である。
【００３４】
また、図１３に示す防草部３０は断面略六角形状を呈している。そして、防草部３０の深さＤは２５ｍｍであり、上端と下端との距離Ｌ１は１０ｍｍである。また、図１３（ａ）に示す防草部３０の幅Ｗは４０ｍｍであり、図１３（ｂ）に示す防草部３０の幅Ｗは５０ｍｍである。そして、図１３（ａ）の上面３２ａの角度θ１は１８°であり、第２の上面３４ａの角度θ３は４５°であり、第２の下面３４ｂの角度θ４は５９°であり、下面３２ｂの角度θ２は２３°である。また、図１３（ｂ）の上面３２ａの角度θ１は１８°であり、第２の上面３４ａの角度θ３は４５°であり、第２の下面３４ｂの角度θ４は５９°であり、下面３２ｂの角度θ２は４５°である。
【００３５】
そして、これら図８〜図１３に代表される防草部３０は、特に舗装材１の防草部３０内への充填性と防草性に優れた効果を発揮する。
【００３６】
以上のように、本発明に係る防草機能付ブロック８０は舗装側面５２の上部にブロック本体５０側に凹んだ凹条の防草部３０を有している。そして、本発明の防草部３０は下面３２ｂに垂直方向の凹みを有さない。ここで、例えば垂直方向に凹みを有する防草部の場合、舗装材の膨張収縮が制限され防草部３０の充填部分で舗装材が破断して防草性を損なう可能性がある。しかしながら、本発明の防草部３０はブロック本体５０の内側に向けて略水平方向に形成するため、舗装材の収縮時の応力は特定の部位に集中せず破断も生じることが無い。これにより、舗装材の収縮防止機能及び防草機能を長期間維持することができる。また、本発明に係る防草機能付ブロック８０は舗装材１の防草部３０内への充填性が良好であるとともに、優れた防草性を有する。
【００３７】
尚、上記の防草機能付ブロック８０は具体的な一例であるから、防草機能付ブロック８０、防草部３０、ブロック本体５０等の形状、寸法、構成、模様、凹凸等は、本発明の要旨を逸脱しない範囲で変更して実施することが可能である。
【符号の説明】
【００３８】
３０    防草部
３２ａ  上面
３２ｂ  下面
３４ａ  第２の上面
３４ｂ  第２の下面
５０    ブロック本体
５２    舗装側面
８０    防草機能付ブロック
【図１】
2018080443.tif 000003
【図２】
2018080443.tif 000004
【図３】
2018080443.tif 000005
【図４】
2018080443.tif 000006
【図５】
2018080443.tif 000007
【図６】
2018080443.tif 000008
【図７】
2018080443.tif 000009
【図８】
2018080443.tif 000010
【図９】
2018080443.tif 000011
【図１０】
2018080443.tif 000012
【図１１】
2018080443.tif 000013
【図１２】
2018080443.tif 000014
【図１３】
2018080443.tif 000015